(57)【特許請求の範囲】
【請求項１】
カートリッジ挿入時、ディスクカートリッジのシャッターと係合してシャッターばねに抗して前記シャッターを移動させるシャッター開閉部を備えてなるカートリッジ排出部材と、
前記カートリッジ排出部材を回動可能にカートリッジ排出方向に付勢する付勢手段と、
カートリッジ排出時、前記シャッター開閉部により開状態にある前記シャッターに係合して前記シャッターが一時的に閉まるのを阻止する、前記カートリッジ排出部材とは独立して設けられたストッパ部材とを備え、
ディスク装置内のディスクカートリッジを排出させることを特徴とするディスク装置のカートリッジ排出機構。
【請求項２】
前記シャッター開閉部は、カートリッジホルダに設けられたローラ溝と、
一端が前記カートリッジ排出部材に取り付けられたカートリッジ排出ばねと、前記カートリッジ排出ばねの他端に前記溝中を移動するように取り付けられたシャッター開閉ローラと、
を備えてなることを特徴とする請求項１記載のディスク装置のカートリッジ排出機構。
【請求項３】
前記ストッパー部材は、光ディスク装置のカートリッジホルダに設けた開口から出没可能なように該カートリッジホルダに取り付けられていることを特徴とする請求項１又は２記載のディスク装置のカートリッジ排出機構。
【請求項４】
前記ストッパー部材は、カートリッジ挿入時にはカートリッジの挿入に邪魔にならないようにカートリッジに押されて退避する如く、該カートリッジホルダに弾性的に取り付けられていることを特徴とする請求項３記載のディスク装置のカートリッジ排出機構。
【請求項５】
前記ストッパー部材は、カートリッジの排出時に前記シャッター開閉ローラが前記ローラ溝の端部近傍まで移動されたとき、前記シャッターとの係合が解除される位置に取り付けられていることを特徴とする請求項１〜４のいずれかに記載のディスク装置のカートリッジ排出機構。
【発明の詳細な説明】
【０００１】
【産業上の利用分野】
本発明は光ディスク装置等のディスク装置のカートリッジ排出機構に関する。尚、本明細書で使用する光ディスク装置という用語は光磁気ディスク装置も含むものとする。
【０００２】
光ディスクは近年急速に発展するマルチメディア化の中で中核となるメモリ媒体として脚光を浴びており、通常カートリッジの中に収容された状態で使用される。光ディスクカートリッジが光ディスク装置内にローディングされ、光ディスクへのデータのライト／リードが行われる。
【０００３】
データのライト動作又はリード動作が終了した光ディスクカートリッジは、イジェクトボタンを押すことにより光ディスク装置内から自動的に排出されるが、このときカートリッジの排出量を一定にする光ディスク装置のカートリッジ排出機構が要望されている。
【０００４】
【従来の技術】
従来の光ディスク装置のカートリッジ排出機構では、光ディスク装置のカートリッジホルダに、カートリッジ排出アームが回動可能に設けられるとともに、概略への字状のローラ溝が形成されている。
【０００５】
このローラ溝中を走行するようにシャッター開閉ローラが取り付けられており、一端がカートリッジ排出アームに係合し他端がシャッター開閉ローラに係合するカートリッジ排出用コイルばねが設けられている。
【０００６】
一方、光ディスクカートリッジは開閉可能なシャッターを備えており、通常このシャッターはシャッターばねにより閉じられている。光ディスクカートリッジを光ディスク装置に挿入すると、ローラ溝内を走行するシャッター開閉ローラに押されてシャッターばねの付勢力に抗してシャッターが自動的に開けられ、窓が開口して光ディスクが露出される。
【０００７】
この窓部分で光ディスクがスピンドルのターンテーブル上に搭載され、光ディスクカートリッジの光ディスク装置へのローディングが完了する。スピンドルモータにより光ディスクを高速で回転させながら、光学ヘッドで光ディスクへのデータのライト又はリードを行う。
【０００８】
光ディスクカートリッジを光ディスク装置内から排出したい場合には、オペレータが光ディスク装置の前面に設けられているイジェクトボタンを押す。これにより、カートリッジのロックが解除されカートリッジ排出アームが排出方向に回動する。
【０００９】
すると、シャッター開閉ローラがカートリッジ排出用コイルばねの付勢力に押されてローラ溝中を走行し、このシャッター開閉ローラに押されて光ディスクカートリッジが光ディスク装置内から排出される。
【００１０】
【発明が解決しようとする課題】
カートリッジ排出時に、シャッター開閉ローラがローラ溝中を走行するにつれて、シャッターばねによりカートリッジのシャッターが閉じられるが、ローラ溝の形状によりシャッターばねの付勢力がカートリッジ排出方向へも働くことになり、この力がカートリッジ排出アームのコイルばねやカートリッジ排出用コイルばねの付勢力に加算されるため、光ディスクカートリッジの排出量が大きくなりすぎる場合があるという問題があった。
【００１１】
特に、光ディスクカートリッジの各メーカー毎にシャッターを開閉するためのシャッターばねの付勢力にばらつきがあるため、シャッターばねの付勢力を予め考慮して安定したカートリッジの排出量を得る光ディスク装置のカートリッジ排出機構を設計するのは困難であった。
【００１２】
本発明はこのような点に鑑みて成されたものであり、その目的とするところは、安定したカートリッジの排出速度及び排出量を得ることのできる光ディスク装置のカートリッジ排出機構を提供することである。
【００１３】
【課題を解決するための手段】
本発明によると、カートリッジ挿入時、ディスクカートリッジのシャッターと係合してシャッターばねに抗して前記シャッターを移動させるシャッター開閉部を備えてなるカートリッジ排出部材と、前記カートリッジ排出部材を回動可能にカートリッジ排出方向に付勢する付勢手段と、カートリッジ排出時、前記シャッター開閉部により開状態にある前記シャッターに係合して前記シャッターが一時的に閉まるのを阻止する、前記カートリッジ排出部材とは独立して設けられたストッパ部材とを備え、ディスク装置内のディスクカートリッジを排出させることを特徴とするディスク装置のカートリッジ排出機構が提供される。
【００１４】
好ましくは、前記シャッター開閉部はカートリッジホルダーに設けられたローラ溝と、一端が前記カートリッジ排出部材に取り付けられたカートリッジ排出ばねと、前記カートリッジ排出ばねの他端に前記溝中を移動するように取り付けられたシャッター開閉ローラとから構成される。
【００１５】
【作用】
本発明によると、光ディスク装置内からカートリッジを排出するとき、開いたシャッターに係合してシャッターが一時的に閉まるのを阻止するストッパ部材を設けたために、シャッターばねの付勢力がカートリッジ排出方向に作用するのを防止することができ、カートリッジの安定した排出速度及び排出量を得ることができる。
【００１６】
カートリッジ挿入時には、このストッパ部材がカートリッジの挿入に邪魔にならないようにカートリッジに押されて退避するため、光ディスクカートリッジの挿入をスムーズに行えることができる。
【００１７】
【実施例】
以下、本発明の実施例を図面を参照して詳細に説明する。
図１は本発明実施例の平面図を示しており、光ディスク装置のカートリッジホルダ２にはバイアス磁石を取り付けるバイアス磁石取付部材４が設けられている。カートリッジホルダ２には更に、概略への字状のローラ溝６が形成されており、このローラ溝６中をシャッター開閉ローラ８が走行する。
【００１８】
１０はカートリッジホルダ２に形成した開口９を通して、後に詳細に説明する光ディスクカートリッジのシャッターが一時的に閉まるのを阻止するストッパ部材であり、光ディスク装置内からのカートリッジ排出時に作用する。
【００１９】
図２を参照すると、光ディスクカートリッジを光ディスク装置のカートリッジホルダ内に挿入するときの背面図が示されている。１２は光ディスクカートリッジを示しており、カートリッジケース１３内に光ディスク媒体１４を回転可能に収容して構成されている。
【００２０】
１６はシャッターであり、通常はコイル状シャッターばね１８に付勢されてシャッター１６は閉じられている。シャッターばね１８の一端１８ａはカートリッジケース１３に係合し、他端１８ｂはシャッター１６に係合している。シャッター１６の先端にはシャッター開閉部材２６が一体的に取り付けられている。
【００２１】
光ディスク装置のカートリッジホルダ２には軸２２を回動中心としてＬ形状のカートリッジ排出アーム２０が回動可能に取り付けられている。カートリッジ排出アーム２０は軸２２に取り付けられたコイルばね２３により時計回り方向に付勢されている。２４はコイル状のカートリッジ排出ばねであり、その一端がカートリッジ排出アーム２０に係合し、その他端がシャッター開閉ローラ８に係合している。
【００２２】
図２に示したように、光ディスクカートリッジ１２を光ディスク装置のカートリッジホルダ２内に挿入すると、カートリッジ排出ばね２４の付勢力に抗してシャッター開閉ローラ８がローラ溝６中を奥側に移動するように押される。
【００２３】
これと同時に、シャッター開閉ローラ８の移動によりシャッター開閉部材２６がシャッターばねの付勢力に抗して押されるためシャッター１６が開き、窓１７が開口して光ディスク媒体１４が露出する。
【００２４】
光ディスクカートリッジ１２を更に押し込むと、図３に示したようにシャッター１６がいっぱいに開き、シャッター開閉ローラ８がカートリッジケース１３に設けた切り欠き２８中に落ち込むとともに、ロック部材３０が突出してカートリッジ排出アーム２０を図３に示した状態でロックする。
【００２５】
この状態では、シャッター排出ばね２４は図３に示したような形状に変形する。さらに、ストッパ部材１０がいっぱいに開いたシャッター１６の縁部に係合する。
【００２６】
図３に示すようにシャッター１６をいっぱいに開いた状態で、光ディスク媒体１４が光ディスク装置のスピンドルのターンテーブルに搭載されチャックされる。光ディスク媒体１４をスピンドルモータで高速で回転させながら、光ヘッドにより光ディスク媒体１４にデータのライト／リードを行う。
【００２７】
カートリッジを排出したい場合には、光ディスク装置の前面に設けられているイジェクトボタンを押す。これにより、ロック部材３０とカートリッジ排出アーム２０との係合が解かれるため、カートリッジ排出アーム２０はコイルばね２３の付勢力により時計回り方向に回動し、これにつれてシャッター開閉ローラ８がカートリッジ排出ばね２４に押されながらローラ溝６中を走行する。
【００２８】
シャッター開閉ローラ８がローラ溝６中を走行すると、光ディスクカートリッジ１２はシャッター開閉ローラ８に押されてカートリッジホルダ２内から排出される。
【００２９】
このとき本実施例では、ストッパ部材１０がいっぱいに開いたシャッター１６の縁部に係合しているため、光ディスクカートリッジ１２がある位置まで排出される間はシャッター１６は閉まることはできない。
【００３０】
これにより、光ディスクカートリッジ１２の排出時にシャッターばね１８の付勢力がカートリッジの排出方向に作用することがなく、光ディスクカートリッジ１２はカートリッジ排出ばね２４の付勢力により安定して排出される。
【００３１】
光ディスクカートリッジ１２が所定位置まで排出されると、ストッパ部材１０とシャッター１６の係合が解かれるため、シャッター１６は閉じられる。よって、光ディスクホルダ２から完全に排出された状態では、光ディスクカートリッジ１２のシャッター１６は閉じられた状態となっている。
【００３２】
図４（Ａ）に示すように、ストッパ部材１０は弾性を有する板金から構成される。又は、図４（Ｂ）に示すように、板金１０ａに樹脂モールド突出部１０ｂを接着又は一体成形したストッパ部材１０′も採用可能である。
【００３３】
ストッパ部材１０又は１０′をこのように弾性変形可能なようにカートリッジホルダ２に取り付けたので、カートリッジ挿入時にはシャッター１６は閉まっているので、図５に示すようにストッパ部材１０′はシャッター１６に押されて逃げるため、ストッパ部材１０′が光ディスクカートリッジ１２の光ディスク装置への挿入の邪魔になることはない。
【００３４】
カートリッジ排出時には、シャッター１６がいっぱいに開いているため、図６に示すようにストッパ部材１０′がシャッター１６の縁部に係合し、シャッター１６が閉じるのが一時的に阻止される。
【００３５】
これにより、上述したようにシャッターばね１８の付勢力がカートリッジ排出方向に作用することがなく、光ディスクカートリッジはカートリッジ排出ばね２４の付勢力により安定した状態で排出される。
【００３６】
【発明の効果】
本発明は以上詳述したように、カートリッジ排出時にシャッターばねの付勢力がカートリッジ排出方向に作用するのを防止するように構成したので、光ディスクカートリッジ排出力の安定化を図ることができるという効果を奏する。
【図面の簡単な説明】
【図１】本発明の実施例の平面図である。
【図２】カートリッジ挿入時の背面図である。
【図３】カートリッジを完全に挿入した状態の背面図である。
【図４】ストッパ部材の斜視図である。
【図５】カートリッジ挿入時の一部破断斜視図である。
【図６】カートリッジ排出時の一部破断斜視図である。
【符号の説明】
２  カートリッジホルダ
６  ローラ溝
８  シャッター開閉ローラ
１０，１０′  ストッパ部材
１２  光ディスクカートリッジ
１４  光ディスク媒体
１６  シャッター
１７  窓
１８  シャッターばね
２０  シャッター排出アーム
２４  シャッター排出ばね
【図１】
0003540026.tif 000002
【図２】
0003540026.tif 000003
【図３】
0003540026.tif 000004
【図４】
0003540026.tif 000005
【図５】
0003540026.tif 000006
【図６】
0003540026.tif 000007